【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
複数の表示領域のうちの１つである自表示領域に画像を表示する画像表示装置であって、
前記自表示領域に表示すべき画像を表す表示対象画像データを取得する第１取得手段と、
画像処理を実行する際に参照される領域であり、且つ、前記自表示領域の外側の領域である、参照領域に表示すべき画像の特徴を表す第１参照データを画像出力装置に要求する要求手段と、
前記要求手段による要求に応じて前記画像出力装置から出力された第２参照データを取得する第２取得手段と、
前記第２参照データを用いて、前記表示対象画像データに前記画像処理を施す画像処理手段と、
前記第２参照データのデータサイズと、前記第１参照データのデータサイズと、を比較する比較手段と、
を有し、
前記要求手段は、前記比較手段による比較の結果、前記第２参照データのデータサイズが前記第１参照データのデータサイズよりも小さい場合に、前記第１参照データを前記画像出力装置に再要求する
ことを特徴とする画像表示装置。
【請求項２】
前記参照領域は、前記自表示領域に隣接する表示領域の一部の領域であり、且つ、前記自表示領域に隣接する領域である
ことを特徴とする請求項１に記載の画像表示装置。
【請求項３】
前記要求手段は、前記第２参照データのデータサイズが前記第１参照データのデータサイズと異なる場合に、前記第１参照データを前記画像出力装置に再要求する
ことを特徴とする請求項１または２に記載の画像表示装置。
【請求項４】
前記第２参照データのデータサイズが前記第１参照データのデータサイズよりも小さい場合に、前記参照領域のサイズを縮小する変更手段をさらに有し、
前記変更手段で前記参照領域のサイズが変更された場合に、前記要求手段は、サイズが
変更された後の参照領域に表示すべき画像の特徴を表す第１参照データを前記画像出力装置に再要求する
ことを特徴とする請求項１〜３のいずれか１項に記載の画像表示装置。
【請求項５】
前記変更手段は、前記第２参照データのデータサイズが前記第１参照データのデータサイズよりも大きい場合に、前記参照領域のサイズを拡大する
ことを特徴とする請求項４に記載の画像表示装置。
【請求項６】
前記画像処理手段は、前記第２参照データを用いて、前記表示対象画像データに複数の画像処理を施し、
前記第１参照データは、前記複数の画像処理のそれぞれについて、その画像処理を実行する際に参照される参照領域に表示すべき画像の特徴を表し、
前記変更手段は、前記第２参照データのデータサイズが前記第１参照データのデータサイズよりも小さい場合に、前記複数の画像処理にそれぞれ対応する複数の参照領域の少なくともいずれかのサイズを縮小する
ことを特徴とする請求項４または５に記載の画像表示装置。
【請求項７】
前記変更手段は、前記第２参照データのデータサイズが前記第１参照データのデータサイズよりも大きい場合に、前記複数の画像処理にそれぞれ対応する複数の参照領域の少なくともいずれかのサイズを拡大する
ことを特徴とする請求項６に記載の画像表示装置。
【請求項８】
前記変更手段は、前記第２参照データのデータサイズが前記第１参照データのデータサイズよりも小さい場合に、前記複数の参照領域の少なくともいずれかのサイズを０に縮小する
ことを特徴とする請求項６または７に記載の画像表示装置。
【請求項９】
前記変更手段は、前記第２参照データのデータサイズが前記第１参照データのデータサイズよりも大きく、且つ、前記複数の参照領域の少なくともいずれかのサイズが０である場合に、サイズが０である１つ以上の参照領域のサイズを０より大きい値に拡大する
ことを特徴とする請求項６〜８のいずれか１項に記載の画像表示装置。
【請求項１０】
前回と同じ第１参照データを再要求した回数をカウントするカウント手段をさらに有し、
前記変更手段は、前記カウント手段でカウントされた回数が閾値よりも少ない場合に、前記参照領域のサイズの変更を省略する
ことを特徴とする請求項４〜９のいずれか１項に記載の画像表示装置。
【請求項１１】
前記変更手段は、前記参照領域に表示すべき画像の特徴が使用されない処理モードを含む複数の処理モードのいずれかに前記画像処理の処理モードを変更することにより、前記参照領域のサイズを０に変更する
ことを特徴とする請求項４〜１０のいずれか１項に記載の画像表示装置。
【請求項１２】
前記変更手段は、前記参照領域に表示すべき画像の特徴として前記表示対象画像データに基づく特徴が使用される処理モードを含む複数の処理モードのいずれかに前記画像処理の処理モードを変更することにより、前記参照領域のサイズを０に変更する
ことを特徴とする請求項４〜１１のいずれか１項に記載の画像表示装置。
【請求項１３】
前記画像出力装置が出力可能な第２参照データに関する情報を前記画像出力装置から取得する第３取得手段をさらに有し、
前記変更手段は、前記第２参照データのデータサイズが前記第１参照データのデータサイズよりも小さい場合に、前記第３取得手段で取得された前記情報に基づいて、前記参照領域のサイズを縮小する
ことを特徴とする請求項４〜１２のいずれか１項に記載の画像表示装置。
【請求項１４】
前記変更手段は、前記第２参照データのデータサイズが前記第１参照データのデータサイズよりも大きい場合に、前記第３取得手段で取得された前記情報に基づいて、前記参照領域のサイズを拡大する
ことを特徴とする請求項１３に記載の画像表示装置。
【請求項１５】
前記第３取得手段は、前記画像出力装置が出力可能な第２参照データのデータサイズの最大値の情報を取得する
ことを特徴とする請求項１３または１４に記載の画像表示装置。
【請求項１６】
前記第１参照データの再要求が行われた場合に、前記第１参照データの再要求が行われたことをユーザに通知する通知手段をさらに有する
ことを特徴とする請求項１〜１５のいずれか１項に記載の画像表示装置。
【請求項１７】
前記画像表示装置の複数の動作モードのうちの１つを選択する選択手段をさらに有し、
前記要求手段は、前記選択手段で選択された動作モードに応じた第１参照データを前記画像出力装置に要求する
をさらに有することを特徴とする請求項１〜１６のいずれか１項に記載の画像表示装置。
【請求項１８】
前記画像処理が施された画像データに基づく画像を前記自表示領域に表示する表示手段をさらに有し、
前記表示手段は、前記第１参照データの再要求が行われている期間に、前記画像処理が施された画像データに基づく画像の代わりに所定の画像を表示する
ことを特徴とする請求項１〜１７のいずれか１項に記載の画像表示装置。
【請求項１９】
前記所定の画像は、黒色の画像である
ことを特徴とする請求項１８に記載の画像表示装置。
【請求項２０】
前記要求手段は、前記第１参照データを前記画像出力装置に要求する処理において、ＶＥＳＡ規格のＴｉｌｅｄ  Ｄｉｓｐｌａｙ  Ｔｏｐｏｌｏｇｙ  Ｄａｔａ  Ｂｌｏｃｋを前記画像出力装置に出力する処理を行う
ことを特徴とする請求項１〜１９のいずれか１項に記載の画像表示装置。
【請求項２１】
複数の表示領域のうちの１つである自表示領域に画像を表示する画像表示装置の制御方法であって、
前記自表示領域に表示すべき画像を表す表示対象画像データを取得する第１取得ステップと、
画像処理を実行する際に参照される領域であり、且つ、前記自表示領域の外側の領域である、参照領域に表示すべき画像の特徴を表す第１参照データを画像出力装置に要求する要求ステップと、
前記要求ステップで行われた要求に応じて前記画像出力装置から出力された第２参照データを取得する第２取得ステップと、
前記第２参照データを用いて、前記表示対象画像データに前記画像処理を施す画像処理ステップと、
前記第２参照データのデータサイズと、前記第１参照データのデータサイズと、を比較する比較ステップと、
を有し、
前記要求ステップでは、前記比較ステップにおける比較の結果、前記第２参照データのデータサイズが前記第１参照データのデータサイズよりも小さい場合に、前記第１参照データを前記画像出力装置に再要求する
ことを特徴とする画像表示装置の制御方法。
【請求項２２】
請求項２１に記載の画像表示装置の制御方法の各ステップをコンピュータに実行させるためのプログラム。
【手続補正２】
【補正対象書類名】明細書
【補正対象項目名】００１２
【補正方法】変更
【補正の内容】
【００１２】
本発明の第１の態様は、
複数の表示領域のうちの１つである自表示領域に画像を表示する画像表示装置であって、
前記自表示領域に表示すべき画像を表す表示対象画像データを取得する第１取得手段と、
画像処理を実行する際に参照される領域であり、且つ、前記自表示領域の外側の領域である、参照領域に表示すべき画像の特徴を表す第１参照データを画像出力装置に要求する要求手段と、
前記要求手段による要求に応じて前記画像出力装置から出力された第２参照データを取得する第２取得手段と、
前記第２参照データを用いて、前記表示対象画像データに前記画像処理を施す画像処理手段と、
前記第２参照データのデータサイズと、前記第１参照データのデータサイズと、を比較する比較手段と、
を有し、
前記要求手段は、前記比較手段による比較の結果、前記第２参照データのデータサイズが前記第１参照データのデータサイズよりも小さい場合に、前記第１参照データを前記画像出力装置に再要求する
ことを特徴とする画像表示装置である。
【手続補正３】
【補正対象書類名】明細書
【補正対象項目名】００１３
【補正方法】変更
【補正の内容】
【００１３】
本発明の第２の態様は、
複数の表示領域のうちの１つである自表示領域に画像を表示する画像表示装置の制御方法であって、
前記自表示領域に表示すべき画像を表す表示対象画像データを取得する第１取得ステップと、
画像処理を実行する際に参照される領域であり、且つ、前記自表示領域の外側の領域である、参照領域に表示すべき画像の特徴を表す第１参照データを画像出力装置に要求する要求ステップと、
前記要求ステップで行われた要求に応じて前記画像出力装置から出力された第２参照データを取得する第２取得ステップと、
前記第２参照データを用いて、前記表示対象画像データに前記画像処理を施す画像処理ステップと、
前記第２参照データのデータサイズと、前記第１参照データのデータサイズと、を比較する比較ステップと、
を有し、
前記要求ステップでは、前記比較ステップにおける比較の結果、前記第２参照データのデータサイズが前記第１参照データのデータサイズよりも小さい場合に、前記第１参照データを前記画像出力装置に再要求する
ことを特徴とする画像表示装置の制御方法である。
【手続補正４】
【補正対象書類名】明細書
【補正対象項目名】００１４
【補正方法】変更
【補正の内容】
【００１４】
本発明の第３の態様は、上述した画像表示装置の制御方法の各ステップをコンピュータに実行させるためのプログラムである。